(57)【特許請求の範囲】
【請求項１】
光電変換素子と、当該光電変換素子に係る光信号を伝搬する内部ファイバと、前記光電変換素子および前記内部ファイバを光結合する光学部品と、をそれぞれが含む複数の信号変換モジュールと、
前記複数の信号変換モジュールそれぞれの前記内部ファイバを収納するファイバトレイと、
前記複数の信号変換モジュールと該ファイバトレイを搭載する基板と、
を備えた光トランシーバであって、
前記複数の信号変換モジュールそれぞれにおいて、前記光学部品は、光結合される前記内部ファイバとの接続部にくびれ部を有し、
前記ファイバトレイは、前記基板の垂直方向に延びる支持板を含み、
前記ファイバトレイの前記支持板は、前記複数の信号変換モジュールそれぞれに対応して設けられた複数のフック部であって前記複数の信号変換モジュールのうち対応する信号変換モジュールにおける前記光学部品の前記くびれ部をそれぞれが挟み込む複数のフック部を有する、
光トランシーバ。
【請求項２】
前記複数の信号変換モジュールそれぞれにおける前記光学部品の前記くびれ部は、前記複数のフック部のうち対応するフック部に対して着脱自在の構造である、
請求項１に記載の光トランシーバ。
【請求項３】
前記ファイバトレイは、前記基板に対向する台座部と、それぞれが所定距離だけ離間して前記台座部から延びた第１ガイドおよび第２ガイドと、を有し、
前記台座部、前記第１ガイド、および前記第２ガイドにより画定される溝部が、前記複数の信号変換モジュールそれぞれの前記内部ファイバを格納している、
請求項１または請求項２に記載の光トランシーバ。
【請求項４】
前記第１ガイドは円形の平面形状を有し、前記第２ガイドが前記第１ガイドを取り囲んでいる、
請求項３に記載の光トランシーバ。
【発明の詳細な説明】
【技術分野】
【０００１】
本発明は、それぞれが双方向光通信を行う複数の信号変換モジュールを筐体内に収納した光トランシーバに関するものである。
【背景技術】
【０００２】
特許文献１が開示する光トランシーバは、それぞれが電気信号から光信号への信号変換および光信号から電子信号への信号変換を行う、少なくとも２個の信号変換モジュールを筐体内に収納している。それぞれの信号変換モジュールは、電気信号を送信光に変換する発光素子と、受信光を電気信号に変換する受光素子と、これら送信光と受信光を伝搬する内部ファイバ（単芯光ファイバ）を含む。特に、当該光トランシーバでは、筐体内において内部ファイバ同士が絡まってしまうことを防ぐため、これら内部ファイバを柔軟な基板により保護している。また、曲率の大きな曲げに起因する光損失や機械的な損傷を防ぐため、内部ファイバそれぞれは、第１方向に向かって直線的に配置される部分と、第１方向とは逆の第２方向に向かって直線的に配置される部分を含むんで曲げられている。
【先行技術文献】
【特許文献】
【０００３】
【特許文献１】米国特許第７，２４２，８２４号明細書
【発明の概要】
【発明が解決しようとする課題】
【０００４】
上記特許文献１は、少なくとも２個の信号変換モジュールに含まれる内部ファイバ同士が筐体内で絡まってしまうことを防ぐため、柔軟な基板がこれら内部ファイバを保護する旨、開示している。しかしながら、内部ファイバの最小曲げ半径や該内部ファイバの具体的な保持方法についての記述は無く、内部ファイバの筐体への取付け作業にも改善の余地がある。
【０００５】
本発明は、上述のような課題に対してなされたものであり、一端に光学部品が固定された内部ファイバを基板上に実装する際の作業性を向上させ、内部ファイバと光学部品との接続部の機械的信頼性を向上させる構造を備えた光トランシーバを提供する。
【課題を解決するための手段】
【０００６】
上述の課題を解決するため、本実施形態に係る光トランシーバは、信号変換モジュールと、ファイバトレイと、基板、を備える。信号変換モジュールは、光電変換素子、当該光電変換素子に係る光信号を伝搬する内部ファイバ、及び前記光電変換素子と前記内部ファイバを光結合する光学部品を有する。ファイバトレイは、内部ファイバを収納し、光学部品を保持する保持部を有する。また、基板は、信号変換モジュールとファイバトレイを搭載する。
【発明の効果】
【０００７】
本実施形態に係る光トランシーバによれば、内部ファイバを格納するファイバトレイが、光学部品の保持構造を有し、この保持構造は、光学部品の少なくとも先端部分の変動を制限した状態で該光学部品を保持する。これにより、該内部ファイバの光学部品への固定部に対してストレスを与えること無く内部ファイバをファイバトレイに巻き付けることが可能になる。加えて、光学部品をレンズベースへ搭載する際の作業性が向上する。
【図面の簡単な説明】
【０００８】
【図１】本実施形態に係る光トランシーバ１の一例の外観を示す図である。
【図２】光トランシーバ１の筐体内部の構造を示す図である。
【図３】光トランシーバ１の基板上における光電変換素子（送信用および受信用光電変換素子を含む）と光学系の位置関係を説明する図である。
【図４】ファイバアセンブリの構造を説明する図である。
【図５】第１および第２ファイバアセンブリが実装されたファイバトレイを示す図である。
【図６】ファイバトレイが実装される前の基板を示す図である。
【図７】第１および第２ファイバアセンブリを保持したファイバトレイが実装した基板を示す図である。
【発明を実施するための形態】
【０００９】
[本願発明の実施形態の説明]
最初に本願発明の実施形態の対応それぞれを個別に列挙して説明する。
【００１０】
（１）本実施形態に係る光トランシーバは、双方向光通信を行う信号変換モジュールと、ファイバトレイと、この信号変換モジュールとファイバトレイを搭載する基板を少なくとも備える。信号変換モジュールは、光電変換素子、この光電変換素子に係る光信号を伝搬する内部ファイバ、および、この光電変換素子と内部ファイバを光結合する光学部品を含む。ファイバトレイは、信号変換モジュールは内部ファイバを格納し、光学部品を保持する保持部を有する。
【００１１】
（２）本発明に係る信号変換モジュールは、光学部品と内部ファイバの接続部にくびれ部を有し、一方、ファイバトレイの保持部はこのくびれ部を挟み込むフック部を有する。
【００１２】
（３）本発明に係るくびれ部はフック部に対して着脱自在の構造を備えてもよい。
【００１３】
（４）本実施形態のファイバトレイは、基板に対向する台座部と、それぞれが所定距離だけ離間してこの台座部から垂直に延び出す第１、第２ガイドを有してもよい。この場合、台座部と、第１および第２ガイドにより画定される溝部が、内部ファイバを格納する。
【００１４】
（５）本実施形態のファイバトレイは、第１ガイドが円形の平面形状を有し、第２ガイドは第１ガイドを取り囲んでいる。
【００１５】
（６）また、本実施形態の光トランシーバは、それぞれが光電変換素子、内部ファイバ、この光電変換素子と内部ファイバを光結合する光学部品を有する複数の信号変換モジュールを備え、ファイバトレイは、これら複数の信号変換モジュールの内部ファイバを収納し、さらにこれら複数の信号変換モジュールの光学部品を保持する複数の保持部を有していてもよい。
【００１６】
以上に列挙された各態様は、残りの全ての態様のそれぞれに対して、または、これら残りの態様の全ての組み合わせに対して適用可能である。
【００１７】
[本願発明の実施形態の詳細]
本願発明に係る光トランシーバの具体例を、以下に添付の図面を参照しつつ詳細に説明する。なお、本発明は、これら例示に限定されるものではなく、特許請求の範囲によって示され、また、特許請求の範囲と均等の意味および範囲内での全ての変更が含まれる。
【００１８】
図１は、本実施形態に係る光トランシーバ１の外観を示す図である。図１に示す光トランシーバ１は、筐体２と、挿抜機構（Pull-Tab）８、光レセプタクル４、回路基板（以下、単に「基板」と記す）１０等を含む。筐体２は、上筐体２Ａおよび下筐体２Ｂを有し、これら上筐体２Ａおよび下筐体２Ｂは、放熱性や電磁波放射抑制を考慮してアルミニウム合金や亜鉛合金等が使用される。筐体２は、それぞれが双方向光通信を行う２個の信号変換モジュールを収納する。なお、本実施形態は、筐体２内に２個の信号変換モジュールを収納する例を示すが、信号変換モジュールの個数は本例に限定されない。１個あるいは３個以上の信号変換モジュールを筐体内に搭載してもよい。筐体２はその両側に、挿抜機構８の動作に連動して筐体２の長手方向に移動するスライダ７を有する。挿抜機構８を前方へ引くと、スライダ７の端部に形成された突起７ａが光トランシーバ１とこの光トランシーバを搭載しているホストシステムのケージ機構のかみ合わせを開放し、当該光トランシーバ１をケージ機構から引き抜くことが可能となる。筐体２は、その正面に、外部光ファイバの端部に保持された光コネクタを受け入れる光レセプタクル４を備えている。また、その背面に、光トランシーバ１とホストシステムとの間の通信を可能とする電気プラグ６を備えている。
【００１９】
図２は、図１に示された筐体２内部構造（上筐体２Ａを取り除いた状態）を示す図である。上述のように、筐体２は、上筐体２Ａおよび下筐体２Ｂを含み、これら上筐体２Ａおよび下筐体２Ｂとで挟まれた空間内に種々の光学的および電気的な部品収納する。
【００２０】
図２に示すように、当該光トランシーバ１は、上筐体２Ａおよび下筐体２Ｂの間の空間に、２個の信号変換モジュールと、これら信号変換モジュールに係る光、電気部品を搭載する基板１０を有する。具体的には、基板１０は、ファイバトレイ５０、光モジュール２０Ａ、２０Ｂ、光電変換素子（送信用および受信用光電変換素子を含む）、および該光電変換素子を制御する制御用ＩＣ（電子回路）１０ａ等を搭載する。
【００２１】
第１の信号変換モジュール（上記２個の信号変換モジュールの一方）は、スリーブ１９Ａ、内部ファイバ９Ａ、光モジュール２０Ａの他、基板１０上に実装された受光素子（以下、「ＰＤ」と記す）１４および面発光素子（以下、「ＶＣＳＥＬ」と記す）１２を含む。ＰＤ１４は受信用光電変換素子として機能し、ＶＣＳＥＬ１２は送信用光電変換素子として機能する。光モジュール２０Ａは、レンズベース３０Ａと双方向レンズユニット４０Ａを含む。レンズベース３０Ａは、基板１０上のＰＤ１４およびＶＣＳＥＬ１２の双方を覆い、該基板１０上に実装される。双方向レンズユニット４０Ａは、内部ファイバ９Ａの一端を保持し、レンズベース３０Ａ上に搭載される。内部ファイバ９Ａの他端は、スリーブ１９Ａに保持される。双方向レンズユニット４０Ａは、内部ファイバ９Ａが提供する受信光（以下、「ＲＸ光」と記す）を基板１０上のＰＤ１４に提供し、一方、基板１０上のＶＣＳＥＬ１２が出射する送信光（以下、「ＴＸ光」と記す）を内部ファイバ９Ａの一端に提供する光学的構造、すなわち、該ＲＸ光およびＴＸ光の双方の進行方向を変える構造を備えている。双方向レンズユニット４０Ａは、基板１０の主面に対してそれぞれ所定の角度を為す複数の端面が形成する幾つかのポケットを備えており、これら端面が、当該双方向レンズユニット４０Ａの内部を伝搬するＲＸ光およびＴＸ光の進行方向を変える反射面として機能する。さらに、双方向レンズユニット４０Ａは、ＲＸ光とＴＸ光の合波または分離を行うＷＤＭ（Wavelength Division Multiplexer）フィルタ２４を搭載有する。スリーブ１９Ａは、光レセプタクル４内に突出し、外部光ファイバの端部に保持され、光レセプタクル４が受納する光コネクタ内と係合する。なお、スリーブ１９Ａ、内部ファイバ９Ａ、および双方向レンズユニット４０Ａにより、後述するファイバアセンブリが構成される。
【００２２】
一方、第２の信号変換モジュール（上記２個の信号変換モジュールの他方）も同様に、スリーブ１９Ｂ、内部ファイバ９Ｂ、光モジュール２０Ｂの他、基板１０上に実装されたＰＤ１４およびＶＣＳＥＬ１２を含む。光モジュール２０Ｂは、基板１０上のＰＤ１４およびＶＣＳＥＬ１２を覆い、該基板１０上に実装されたレンズベース３０Ｂと、内部ファイバ９Ｂの一端に保持され、レンズベース３０Ｂ上に搭載された双方向レンズユニット４０Ｂを含む。内部ファイバ９Ｂの他端は、スリーブ１９Ｂに保持される。また、双方向レンズユニット４０Ｂの構造および機能は、上述の双方向レンズユニット４０Ａと同じである。スリーブ１９Ｂも、光レセプタクル４内に突出し、外部光ファイバの端部に保持された光コネクタと係合する。なお、この第２の信号変換モジュールにおいても、スリーブ１９Ｂ、内部ファイバ９Ｂ、および双方向レンズユニット４０Ｂにより、後述するファイバアセンブリが構成される。
【００２３】
基板１０は、その後方端部に電気プラグ６を備え、下筐体２Ｂはその周囲に、基板１０を取り囲む溝を有する。この溝内にＥＭＩノイズを筐体２の内部に閉じ込めるシールドガスケット３がセットされている。すなわち、溝内のシールドガスケット３は、上筐体２Ａおよび下筐体２Ｂの間で押しつぶされ、これら上筐体２Ａおよび下筐体２Ｂが形成する空間を、筐体２の外部から電気的に遮蔽する。
【００２４】
ファイバトレイ５０は、スリーブ１９Ａ、１９Ｂと、光モジュール２０Ａ、２０Ｂとの間に位置し、複数の脚５２の先端に形成されたフック部により基板１０に装着される。また、ファイバトレイ５０は、内部ファイバ９Ａ、９Ｂを格納する構造を有する。具体的に、ファイバトレイ５０は、基板１０上に設置され対向する台座部５０Ｄと、この台座部５０Ｄから基板１０に対して垂直方向に延びる内側ガイド（第１ガイド）５０Ａおよび外側ガイド（第２ガイド）５０Ｂを有する。内側ガイド５０Ａは、内部ファイバ９Ａ、９Ｂを所定の曲率以下（曲げ損失に起因した信号劣化を実質的に生じない曲率）で巻き巻き取る部分であって、略円形の平面形状を有する。一方、外側ガイド５０Ｂは、内側ガイド５０Ａから所定距離離間し該内側ガイド５０Ａを取り囲んでいる。内側ガイド５０Ａ、外側ガイド５０Ｂおよび台座部５０Ｄが画定する溝部５０Ｃ内に内部ファイバ９Ａ、９Ｂを格納する。
【００２５】
更に、ファイバトレイ５０は、仮固定構造を有する。この仮固定構造は、双方向レンズユニット４０Ａ、４０Ｂの当該ファイバトレイ５０に対する相対位置の変動を制限しつつ、該双方向レンズユニット４０Ａ、４０Ｂの先端部を保持する。具体的には、仮固定構造は、基板１０に対して垂直方向に延びた支持板（保持部）７０であって、支持板７０は、双方向レンズユニット４０Ａ、４０Ｂの先端部分４５を挟み込むフック部７０ａ、７０ｂを有する。
【００２６】
次に、レンズベース３０Ａ、３０Ｂを基板１０上に実装する工程を、図３を用いて説明する。なお、図３は、光電変換素子（送信用および受信用光電変換素子を含む）と光学系の基板１０上での位置関係を説明する図である。
【００２７】
図３（ａ）に示すように、基板１０は、ＴＸ光を出射するＶＣＳＥＬ１２、該ＶＣＳＥＬ１２を駆動するレーザ駆動部１０Ａ、内部ファイバ９Ａを介して到達したＲＸ光を受光するＰＤ１４、該ＰＤ１４が出力する電気信号を増幅する信号増幅部（ＴＩＡ: Trans-Impedance Amplifier）１０Ｂ、およびＴＸ光の強度を検出するモニタＰＤ１８を搭載している。これら部品は、基板１０上の配線にワイヤボンディングにより電気的に接続されている。また、基板１０は、レンズベース３０Ａの実装位置を規定するガイド孔１１を有する。レンズベース３０Ａは、基板１０と対向する設置面にガイドピン３８、該設置面とは反対側の面に双方向レンズユニット４０Ａにレンズベース３０Ａ上の搭載位置を決定するガイド孔３９を有する。また、レンズベース３０Ａは、ＶＣＳＥＬ１２が出射したＴＸ光の一部（モニタ光）が通過する前方貫通孔と、ＶＣＳＥＬ１２が出射したＴＸ光の他の部分および双方向レンズユニット４０Ａが提供するＲＸ光が通過する後方貫通孔を有する。更に、後方貫通孔には、ＴＸ光（発散光）を準平行光に変換するレンズ、およびＲＸ光（準平行光）を収束光に変換するレンズ体２２が設置されている。
【００２８】
なお、レンズベース３０Ｂも、図３（ｂ）に示すように、上述のレンズベース３０Ａの場合と同様に基板１０上に実装される。
【００２９】
図４は、各信号変換モジュールの一部を構成するファイバアセンブリの構造を説明する図である。具体的には、図４（ａ）はファイバアセンブリの組み立て工程を説明する図であり、図４（ｂ）は、組み立て後のファイバアセンブリの構造を示す図である。なお、図４（ａ）および図４（ｂ）では、第１の信号変換モジュールのファイバアセンブリのみを示すが、第２の信号変換モジュールのファイバアセンブリも第１の信号変換モジュールのファイバアセンブリと同様の構造を有しており、以下の説明では、第１の信号変換モジュールのファイバアセンブリについて記す。
【００３０】
第１の信号変換モジュールのファイバアセンブリは、図４（ａ）に示すように、スリーブ１９Ａと、内部ファイバ９Ａと、光モジュール２０Ａの一部を構成する双方向レンズユニット４０Ａを含む。内部ファイバ９Ａの両端は樹脂被覆が除去されている。スリーブ１９Ａは、当該スリーブ１９Ａの光レセプタクル４に対する位置を決定するフランジを備え、また、その窓１９０から接着剤を注入して樹脂被覆が除去された内部ファイバ９Ａの先端部分を当該スリーブ１９Ａに固定している。なお、内部ファイバ９Ａはその被服樹脂外径よりも一回り大きな内径を有する補強用チューブ９０を介してスリーブ１９Ａの後方端（後方の円筒部分に形成された孔）から挿入される。双方向レンズユニット４０Ａは、レンズベース３０Ａと対向する底面に設けたガイドピン４９をレンズベース３０Ａのガイド孔に挿入して両者の相対位置を決定する。さらに、該底面から穿たれたポケット内にＷＤＭフィルタ２４を配置している。また、その先端部分４５は、内部ファイバ９Ａの樹脂被覆が除去された先端部分（前記線先端部分とは逆の先端部分）を収納するＶ溝４１を有する。加えて、の先端部分４５は、Ｖ溝４１（またはＶ溝４１に固定された内部ファイバ９Ａの先端）を挟む位置に、一対のくびれ部４５ａを有する。この先端部分４５は、上述する図５に示すように、ファイバトレイ５０の支持板７０が備えるフック部７０ａ（７０ｂ）に押し込まれ、双方向レンズユニット４０Ａをファイバトレイ５０に対して仮固定する。このとき、フック部７０ａ（７０ｂ）は双方向レンズユニット４０Ａの変位を制限することができる。Ｖ溝４１の先端部はストッパを有し、このストッパは、内部ファイバ９Ａの端部の位置を決定する。
【００３１】
内部ファイバ９Ａの一端を、補強用チューブ９０を介してスリーブ１９Ａに挿入し、窓１９０から接着剤Ｃ１を注入して、図４（ｂ）に示す様に、スリーブ１９Ａと内部ファイバ９Ａの先端を固定する。また、補強用チューブ９０は、スリーブ１９Ａの後方端に接着剤Ｃ２により固定される。これにより、補強用チューブ９０は、内部ファイバ９Ａの曲げを制限する。一方、内部ファイバ９Ａの他端は、双方向レンズユニット４０Ａの先端に設けられたＶ溝４１に収納され、接着剤Ｃ３により固定される。
【００３２】
図５に、第１および第２ファイバアセンブリを実装したファイバトレイ５０（溝部５０Ｃが内部ファイバ９Ａ、９Ｂを収納した状態）を示す。
【００３３】
ファイバトレイ５０は、基板１０上に搭載される台座部５０Ｄを備える。台座部５０Ｄは、基板１０に対向する設置面（下面）を有する。台座部５０Ｄの上面から内側ガイド５０Ａと外側ガイド５０Ｂが延び出している。内側ガイド５０Ａの平面形状は、内部ファイバ９Ａに曲げ損失が実質的に問題とならない程度の曲率で規定された円形であり、一方、外側ガイド５０Ｂは、内側ガイド５０Ａから所定距離だけ離間し配置されている。また、図５に示す例では、外側ガイド５０Ｂから複数の脚５２が台座部５０Ｄに向けて延び出している。これら複数の脚５２は、その先端にフック部を有し、当該フック部が該基板１０の裏面に係合する。内側ガイド５０Ａ、外側ガイド５０Ｂおよび台座部５０Ｄが溝部５０Ｃを画定し、当該溝部５０Ｃが、内部ファイバ９Ａ、９Ｂを格納する空間として機能する。
【００３４】
さらに、ファイバトレイ５０は、双方向レンズユニット４０Ａ、４０Ｂを仮固定する支持板７０を備える。支持板７０は、双方向レンズユニット４０Ａ、４０Ｂの先端部分４５を保持するフック部７０ａ、７０ｂを有する。一方、双方向レンズユニット４０Ａ、４０Ｂの先端部分４５はその両側にくびれ部４５ａを有しており、これらくびれ部４５ａを支持板７０のフック部７０ａ、７０ｂに挿入して、双方向レンズユニット４０Ａ、４０Ｂの先端部分４５の変位を制限する。一方、双方向レンズユニット４０Ａ、４０Ｂは、各々の先端部分４５を中心とした一定範囲内で姿勢変位を許容しつつ、支持板７０を介してファイバトレイ５０に仮固定される。
【００３５】
上述のような構造を有するファイバトレイ５０と第１および第２ファイバアセンブリの実装は、以下のように行う。
【００３６】
まず、ファイバトレイ５０の内側ガイド５０Ａに内部ファイバ９Ａを巻き付ける。更に、内部ファイバ９Ｂも内側ガイド５０Ａに巻き付ける。なお、内側ガイド５０Ａおよび外側ガイド５０Ｂは、溝部５０Ｃ内に格納された内部ファイバ９Ａ、９Ｂの飛び出しを防止するツメを備えている。内側ガイド５０Ａのツメは、外側ガイド５０Ｂに向かって伸び、外側ガイド５０Ｂのツメは、内側ガイド５０Ａに向かって伸びている。
【００３７】
内部ファイバ９Ａ、９Ｂは、各々の両端を固定しない限り自然状態に戻る反力により、溝部５０Ｃに収納した後には、外側ガイド５０Ｂの内埒に沿って伸びる。したがって、少なくとも内側ガイド５０Ａに向かって伸びた外側ガイド５０Ｂのツメは、溝部５０Ｃに格納された内部ファイバ９Ａ、９Ｂの溝部５０Ｃからの飛出しを防ぐことができる。特に、内部ファイバ９Ａ、９Ｂが直線状態に戻ろうとする力は、フック部７０ａ、７０ｂが受けるため、双方向レンズユニット４０Ａ，４０Ｂの先端部分４５、特に、内部ファイバ９Ａ、９Ｂの固定部に対してストレスを与えること無く、内部ファイバ９Ａ、９Ｂをファイバトレイ５０の内側ガイド５０Ａに巻き付けることができる。
【００３８】
第１及び第２ファイバアセンブリをファイバトレイ５０に実装した後、図６に示すように、このファイバトレイ５０を基板１０に取り付ける。なお、基板１０上には、図３（ｂ）に示すように、既に制御用ＩＣ１０ａの他、ＶＣＳＥＬ１２、ＰＤ１４等の電子部品も実装されており、更に、これら電子部品を覆う、レンズベース３０Ａ、３０Ｂも実装されている。なお、図６は、第１および第２ファイバアセンブリを基板上へ実装する工程を示す。
【００３９】
ファイバトレイ５０は、その脚５２の先端のフック部を基板１０に係合する。同時に、双方向レンズユニット４０Ａ、４０Ｂも、それぞれ対応するレンズベース３０Ａ、３０Ｂに設置する。双方向レンズユニット４０Ａ、４０Ｂは、レンズベース３０Ａ、３０Ｂに対向する面にガイドピン４９を有し、一方、レンズベース３０Ａ、３０Ｂの上面はガイド孔３９を有する。ガイドピン４９をガイド孔３９に挿入し、またレンズベース３０Ａ、３０Ｂの両側端に形成した土手の間に双方向レンズユニット４０Ａ、４０Ｂを載置することで、レンズベース３０Ａ、３０Ｂと、双方向レンズユニット４０Ａ、４０Ｂとの相対位置が規定される。なお、基板１０へのファイバトレイ５０の取り付けの際、双方向レンズユニット４０Ａ、４０Ｂは対応するレンズベース３０Ａ、３０Ｂに固定されていない。該レンズベース３０Ａ、３０Ｂのガイド孔３９に対してファイバトレイ５０と双方向レンズユニット４０Ａ、４０Ｂとの仮固定構造におけるクリアランスの範囲で双方向レンズユニット４０Ａ、４０Ｂは姿勢移動が可能である。したがって、レンズベース３０Ａ、３０Ｂのガイド孔３９に双方向レンズユニット４０Ａ、４０Ｂのガイドピン４９を挿入することで該双方向レンズユニット４０Ａ、４０Ｂとレンズベース３０Ａ、３０Ｂの位置決めが完了する。
【００４０】
すなわち、ガイドピン４９とガイド孔３９の係合によりレンズベース３０Ａ、３０Ｂと双方向レンズユニット４０Ａ、４０Ｂとの間の前後位置（光トランシーバの長軸方向の位置）が、一方、レンズベース３０Ａ、３０Ｂの土手と双方向レンズユニット４０Ａ、４０Ｂの全幅の関係により、両者の左右位置（光トランシーバの短軸方向の位置）が決定される。双方向レンズユニット４０Ａ、４０Ｂはそのガイドピン４９を中心に回転するが、その幅とレンズベース３０Ａ、３０Ｂの土手の間隔により回転量が規制される。さらに、レンズベース３０Ａ、３０Ｂと双方向レンズユニット４０Ａ、４０Ｂとの間での相対位置が問題となるのはレンズベース３０Ａ、３０Ｂ上のレンズ体２２と、これに対向する双方向レンズユニット４０Ａ、４０Ｂのポケットとの間である。本実施形態では、ガイドピン４９、ガイド孔３９がレンズ体２２の搭載位置に近接しているので、双方向レンズユニット４０Ａ、４０Ｂがガイドピン４９を中心に回転したとしても、レンズ体２２上に対応するポケットの横方向（光トランシーバ１の短軸方向）のシフト量を抑えることができる。
【００４１】
上述のように、ファイバトレイ５０と第１および第２ファイバアセンブリを実装した基板１０を説明した。上第１および第２ファイバアセンブリ組み付けたファイバトレイ５０を基板１０上に搭載すると、双方向レンズユニット４０Ａ、４０Ｂは、対応するレンズベース３０Ａ、３０Ｂに固定され、図７に示すように、光トランシー光学的および電気的な部品が全て基板１０上に搭載される。この基板１０を筐体２内に収納して、本実施形態に係る光トランシーバ１を得る。
【符号の説明】
【００４２】
１…光トランシーバ、９Ａ、９Ｂ…内部ファイバ、１０…基板、２０Ａ、２０Ｂ…光モジュール、３０Ａ、３０Ｂ…レンズベース、４０Ａ、４０Ｂ…双方向レンズユニット、４５…先端部分、４５ａ…くびれ部、５０…ファイバトレイ、５０Ａ…内側ガイド（第１ガイド）、５０Ｂ…外側ガイド（第２ガイド）、５０Ｃ…溝部、５０Ｄ…台座部、７０…支持板（保持部）、７０ａ、７０ｂ…フック部。
【図１】
0006690378.tif 000002
【図２】
0006690378.tif 000003
【図３】
0006690378.tif 000004
【図４】
0006690378.tif 000005
【図５】
0006690378.tif 000006
【図６】
0006690378.tif 000007
【図７】
0006690378.tif 000008